【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
処理ユニット（２００）に接続されているセンサユニット（１００）に関連して、使用されるべき設定を見付けるための前記処理ユニット（２００）内で実行される方法であって、前記方法は、
少なくとも３つのレベルを有する識別子の階層を前記センサユニット（１００）から受信すること（Ｓ６０２）を含み、前記階層の第１レベル（４１０）は前記センサユニット（１００）の種類を識別する第１識別子（４１１）を含み、前記第１レベル（４１０）の上の各レベル（４２０、４３０、４４０）はセンサユニットの少なくとも１つの関連する種類のグループを識別する識別子（４２１、４３１、４３２、４３３、４４１）を含み、
前記方法は更に、
前記第１識別子（４１１）に関連付けられた設定が前記処理ユニット（２００）内に保存されているかどうかを確認すること（Ｓ６０４）と、
前記第１識別子（４１１）に関連付けられた設定が前記処理ユニット（２００）内に保存されている場合、前記センサユニット（１００）に関連して、前記第１識別子（４１１）に関連付けられた前記設定を使用すること（Ｓ６１０）と、
前記階層内の特定のレベル（４２０）までのそれぞれのレベルの識別子（４１１、４２１）に関連付けられた設定が前記処理ユニット（２００）内に保存されていない場合、前記特定のレベル（４２０）に続く前記階層内の前記レベル（４３０）の識別子（４２１、４３２、４３３）に関連付けられた設定があるかどうかを確認すること（Ｓ６０６）と、
前記特定のレベル（４２０）に続く前記階層内の前記レベル（４３０）の識別子（４３１、４３２、４３３）に関連付けられた設定が前記処理ユニット（２００）内に保存されている場合、前記センサユニット（１００）に関連して、前記特定のレベル（４２０）に続く前記階層内の前記レベル（４３０）の前記識別子（４３１、４３２、４３３）に関連付けられた前記設定を使用すること（Ｓ６１０）と
を含む、方法。
【請求項２】
前記特定のレベル（４２０）に続く前記階層内の前記レベル（４３０）は、複数の識別子（４３１、４３２、４３３）を含み、前記特定のレベル（４２０）に続く前記階層内の前記レベル（４３０）の識別子（４３１、４３２、４３３）に関連付けられる設定があるかどうかを確認するステップ（Ｓ６０６）は、
前記複数の識別子のそれぞれに関連付けられた設定が前記処理ユニット内に保存されているかどうかを確認すること、及び
前記複数の識別子（４３１、４３２、４３３）のうちの１つ以上に関連付けられた設定が前記処理ユニット内に保存されている場合、前記センサユニット（１００）に関連して、保存されている、前記複数の識別子（４３１、４３２、４３３）のうちの１つに関連付けられた前記設定を使用すること
を含む、請求項１に記載の方法。
【請求項３】
前記第１識別子（４１１）に関連付けられた前記設定に関連して、前記複数の識別子（４３１、４３２、４３３）のそれぞれに関連付けられた前記設定の互換性を反映する互換性スコアの形態で互換性データを前記センサユニット（１００）から受信することを更に含み、保存されている、最も高い互換性スコアを有する前記設定が、前記センサユニットに関連して使用される、請求項２に記載の方法。
【請求項４】
前記階層の前記第１レベル（４１０）の上のレベル（４２０、４３０）の識別子に関連付けられた前記設定が前記センサユニット（１００）に関連して使用される場合、ユーザ通知を提供することを更に含む、請求項１に記載の方法。
【請求項５】
前記第１識別子（４１１）と関連付けられた前記設定に関連して、前記階層の前記第１レベル（４１０）の上のレベルの識別子（４２１、４３１、４３２、４３３、４４１）に関連付けられた設定の互換性を反映する互換性データを前記センサユニット（１００）から受信することを更に含む、請求項１に記載の方法。
【請求項６】
前記互換性データが互換性スコアを含み、前記第１レベル（４１０）の上のレベル（４２０、４３０、４４０）の識別子（４２１、４３１、４３２、４３３、４４１）に関連付けられた前記設定が前記センサユニット（１００）に関連して使用され、前記第１識別子（４１１）に関連付けられた前記設定に関連して前記第１レベル（４１０）の上のレベル（４２０、４３０、４４０）の前記識別子（４２１、４３１、４３２、４３３、４４１）に関連付けられた前記設定の互換性スコアが特定のレベルを下回るという条件の下で、ユーザ通知が提供される、請求項５に記載の方法。
【請求項７】
前記互換性データが更に、前記階層の前記第１レベル（４１０）の上のレベル（４２０、４３０、４４０）の識別子（４２１、４３１、４３２、４３３、４４１）に関連付けられた前記設定と互換性がない前記第１識別子（４１１）に関連付けられた設定を反映する、請求項５に記載の方法。
【請求項８】
前記階層の前記第１レベル（４１０）の上のレベル（４２０、４３０、４４０）の識別子（４２１、４３１、４３２、４３３、４４１）に関連付けられた前記設定が前記センサユニット（１００）に関連して使用される場合、ユーザ通知を提供することを更に含み、前記ユーザ通知は、前記階層の前記第１レベル（４１０）の上のレベル（４２０、４３０、４４０）の識別子（４２１、４３１、４３２、４３３、４４１）に関連付けられた前記設定と互換性がない前記第１識別子（４１１）に関連付けられた設定の表示を含む、請求項７に記載の方法。
【請求項９】
前記センサユニット（１００）に関連して、識別子に関連付けられた設定を使用すること（Ｓ６１０）は、前記センサユニット（１００）を初期化するとき、前記センサユニット（１００）を制御するとき、又は前記センサユニット（１００）からのデータを処理するとき、前記識別子に関連付けられた前記設定を使用することを含む、請求項１に記載の方法。
【請求項１０】
前記センサユニット（１００）の種類と前記センサユニットの少なくとも１つの関連する種類とは、共通する設定サブセットを有する点において関連する、請求項１に記載の方法。
【請求項１１】
処理ユニット（２００）に接続されているセンサユニット（１００）に関連して使用されるべき設定を見つけるための処理ユニット（２００）であって、前記処理ユニットは、
異なるセンサの種類又は異なるセンサの種類のグループを識別する識別子と、前記識別子に関連付けられた設定とを保存するように構成されたメモリ（２０２）と、
プロセッサ（２０４）と
を備え、前記プロセッサは、
少なくとも３つのレベルを有する識別子の階層を前記センサユニット（１００）から受信し、前記階層の第１レベル（４１０）は、処理ユニット（２００）に接続されている前記センサユニット（１００）の種類を識別する第１識別子（４１１）を含み、前記第１レベル（４１０）の上の各レベル（４２０、４３０、４４０）は、センサユニットの少なくとも１つの関連する種類のグループを識別する識別子（４２１、４３１、４３２、４３３、４４１）を含み、
前記第１識別子（４１１）に関連付けられた設定が前記処理ユニット（２００）の前記メモリ（２０２）内に保存されているかどうかを確認し、
前記第１識別子（４１１）に関連付けられた設定が前記処理ユニット（２００）の前記メモリ（２０２）内に保存されている場合、前記処理ユニット（２００）に接続されている前記センサユニット（１００）に関連して、前記第１識別子（４１１）に関連付けられた前記設定を使用し、
前記階層内の特定のレベル（４２０）までのそれぞれのレベル（４１０、４２０）の識別子（４１１、４２１）に関連付けられた設定が前記処理ユニット（２００）内に保存されていない場合、前記特定のレベル（４２０）に続く前記階層内の前記レベル（４３０）の識別子（４２１、４３２、４３３）に関連付けられた設定が前記処理ユニット（２００）の前記メモリ（２０２）内に保存されているかどうかを確認し、及び
前記特定のレベル（４２０）に続く前記階層内の前記レベル（４３０）の識別子（４３１、４３２、４３３）に関連付けられた設定が前記処理ユニット（２００）内に保存されている場合、前記センサユニット（１００）に関連して、前記特定のレベル（４２０）に続く前記階層内の前記レベル（４３０）の前記識別子（４３１、４３２、４３３）に関連付けられた前記設定を使用するように構成されている、処理ユニット（２００）。
【請求項１２】
処理ユニット（２００）に接続されているセンサユニット（１００）に関連して使用されるべき設定を見つけるためのシステム（１０）であって、
少なくとも３つのレベル（４１０、４２０、４３０、４４０）を有する識別子の階層を保存するように構成されたメモリ（１０４）を備えるセンサユニット（１００）を備え、前記階層の第１レベル（４１０）は、前記センサユニット（１００）の種類を識別する第１識別子（４１１）を含み、前記第１レベル（４１０）の上の各レベル（４２０、４３０、４４０）は、センサユニットの少なくとも１つの関連する種類のグループを識別する識別子（４２１、４３１、４３２、４３３、４４１）を含み、
前記システムは更に、
前記センサユニット（１００）が接続されている、請求項１１に記載の処理ユニット（２００）
を備える、システム（１０）。
【請求項１３】
前記センサユニット（１００）が、画像センサ及びレンズを備える画像センサユニットである、請求項１２に記載のシステム（１０）。
【請求項１４】
処理能力を有するデバイスによって実行されるときに、請求項１から１０のいずれか一項に記載の方法を実行するように適合された命令を有する非一時的なコンピュータ可読媒体。